(57)【特許請求の範囲】
【請求項１】
印刷回路基板と、
前記印刷回路基板に装着され、入力される第１ＲＦ信号と第２ＲＦ信号のうち一つのＲＦ信号を選択するスイッチング部と、
前記印刷回路基板に装着され、前記スイッチング部により選択された前記第１ＲＦ信号または前記第２ＲＦ信号をダウンコンバージョンするチューナ部と、
前記第１及び第２ＲＦ信号の入力を受けるための第１及び第２入力コネクタと、
前記第１及び第２入力コネクタを支持し、前記印刷回路基板、前記スイッチング部及びチューナ部を全て覆い、前記スイッチング部及びチューナ部の接地と電気的に連結されたシャシーと、
前記シャシーに連結され、前記スイッチング部を前記印刷回路基板に連結された他の構
成要素のうち少なくとも一つの構成要素との信号干渉から遮蔽させる遮蔽壁と、を含み、
前記遮蔽壁は、
前記スイッチング部の接地部と連結され、
前記遮蔽壁は、
前記スイッチング部と前記チューナ部を隔離させる第１遮蔽壁と、
前記遮蔽壁は、
前記スイッチング部と前記第１入力コネクタを隔離させる第２遮蔽壁と、
前記スイッチング部と前記第２入力コネクタを隔離させる第３遮蔽壁と、
を含むことを特徴とするシングルパッケージテレビジョンチューニング装置。
【請求項２】
前記第１遮蔽壁は、
前記シャシーの長さ方向の第１内側面に連結される一端と、
前記シャシーの第１内側面の反対側に位置され、前記第１内側面と同一方向の第２内側面に連結される他端と、
前記印刷回路基板と接する接続部のうち前記スイッチング部と前記チューナ部を連結する中間連結パターンが通る領域に前記中間連結パターンを通過させるために形成された凹状のパターン通過溝と、
を含むことを特徴とする請求項１に記載のシングルパッケージテレビジョンチューニン
グ装置。
【請求項３】
前記第２遮蔽壁は、
前記第１遮蔽壁に連結された一端と、
前記シャシーの第１及び第２内側面を相互連結し、前記シャシーの幅方向の第３内側面に連結された他端と、
前記印刷回路基板と接する接続部のうち前記スイッチング部と前記第１入力コネクタを連結する第１連結パターンが通る領域に前記第１連結パターンを通過するために形成された凹状のパターン通過溝と、
を含むことを特徴とする請求項１に記載のシングルパッケージテレビジョンチューニング装置。
【請求項４】
前記第３遮蔽壁は、
前記第１遮蔽壁に連結された一端と、
前記第３内側面に連結された他端と、
前記印刷回路基板と接する接続部のうち前記スイッチング部と前記第２入力コネクタを連結する第２連結パターンが通る領域に前記第２連結パターンを通過させるために形成された凹状のパターン通過溝と、
を含むことを特徴とする請求項１に記載のシングルパッケージテレビジョンチューニング装置。
【請求項５】
前記シャシーは、
前記印刷回路基板の側面を保護するために、前記印刷回路基板と結合され、前記印刷回路基板の側面をカバーする胴体シャシーと、
前記印刷回路基板の一面を保護するために、前記胴体シャシーと結合され前記印刷回路基板の一面側の開放部をカバーする第１カバーシャシーと、
前記印刷回路基板の一面の反対側面を保護するために、前記胴体シャシーと結合され前記印刷回路基板の他面側の開放部をカバーする第２カバーシャシーと、
を含むことを特徴とする請求項１に記載のシングルパッケージテレビジョンチューニング装置。
【請求項６】
前記スイッチング部は、前記印刷回路基板の一面に形成され、
前記チューナ部は、前記印刷回路基板の一面に前記スイッチング部と共に形成されたことを特徴とする請求項２に記載のシングルパッケージテレビジョンチューニング装置。
【請求項７】
前記第１カバーシャシーは、
その一部が前記遮蔽壁に向かって膨らんで形成された複数のタッチポインタを含み、
前記第１カバーシャシーを前記胴体シャシーに締結する時、前記タッチポインタは前記遮蔽壁に接触されることを特徴とする請求項５に記載のシングルパッケージテレビジョンチューニング装置。
【請求項８】
前記スイッチング部は前記印刷回路基板の一面に形成され、
前記チューナ部は前記印刷回路基板の他面に形成されたことを特徴とする請求項２に記載のシングルパッケージテレビジョンチューニング装置。
【請求項９】
前記第１カバーシャシーは、
その一部が前記遮蔽壁に向かって膨らんで形成された複数のタッチポインタを含み、
前記第１カバーシャシーを前記胴体シャシーに締結する時、前記タッチポインタは前記遮蔽壁に接触されることを特徴とする請求項５に記載のシングルパッケージテレビジョンチューニング装置。
【請求項１０】
前記シングルパッケージテレビジョンチューニング装置は、
スイッチング信号の入力を受け前記スイッチング部へ提供するスイッチング端子をさらに含むことを特徴とする請求項１に記載のシングルパッケージテレビジョンチューニング装置。
【請求項１１】
印刷回路基板と、
前記印刷回路基板に装着され、入力される第１ＲＦ信号と第２ＲＦ信号のうち一つのＲＦ信号を選択するスイッチング部と、
前記印刷回路基板に装着され、前記スイッチング部により選択された前記第１ＲＦ信号または前記第２ＲＦ信号をダウンコンバージョンするチューナ部と、
前記第１及び第２ＲＦ信号の入力を受けるための第１及び第２入力コネクタと、
前記第１及び第２入力コネクタを支持し、前記印刷回路基板、前記スイッチング部及びチューナ部を全て覆い、前記スイッチング部及びチューナ部の接地と電気的に連結されたシャシーと、
前記シャシーに連結され前記スイッチング部を前記印刷回路基板に連結された他の構成要素のうち少なくとも一つの構成要素との信号干渉から遮蔽させる遮蔽壁と、
前記第１ＲＦ信号または第２ＲＦ信号を選択するための選択信号の入力を受けるためのピンコネクタと、を含み、
前記遮蔽壁は、前記スイッチング部の接地部と連結され、
前記遮蔽壁は、
前記スイッチング部と前記チューナ部を隔離させる第１遮蔽壁と、
前記スイッチング部と前記第１入力コネクタを隔離させる第２遮蔽壁と、
前記スイッチング部と前記第２入力コネクタを隔離させる第３遮蔽壁と、
を含むことを特徴とするシングルパッケージテレビジョンチューニング装置。
【請求項１２】
前記ピンコネクタは、
チューニング動作電源の入力を受け前記チューニング部へ提供する電源ピンと、
チャネル選択信号と、前記第１ＲＦ信号または第２ＲＦ信号を選択するための選択信号を含む制御データの入力を受け前記チューナ部へ提供する制御データピンと、
前記チューニング部からの信号を出力する信号出力ピンと、
を含むことを特徴とする請求項１１に記載のシングルパッケージテレビジョンチューニング装置。
【請求項１３】
前記チューナ部は、
前記制御データピンを通じて提供された制御データに含まれたチャネル選択信号及び入力選択信号を分析し、前記チャネル選択信号に従ってチャネル調整信号を出力し、前記入力選択信号に従って前記スイッチング部にスイッチング信号を提供するデータ処理部と、
前記データ処理部からのチャネル調整信号に従って前記スイッチング部からのＲＥ信号をダウンコンバージョンするコンバーティング部と、
を含むことを特徴とする請求項１２に記載のシングルパッケージテレビジョンチューニング装置。
【請求項１４】
前記第１遮蔽壁は、
前記シャシーの長さ方向の第１内側面に連結される一端と、
前記シャシーの第１内側面の反対側に位置され、前記第１内側面と同一方向の第２内側面に連結される他端と、
前記印刷回路基板と接する接続部のうち前記スイッチング部と前記チューナ部を連結する中間連結パターンが通る領域に前記中間連結パターンを通過させるために形成された凹状のパターン通過溝と、
を含むことを特徴とする請求項１１に記載のシングルパッケージテレビジョンチューニング装置。
【請求項１５】
前記第２遮蔽壁は、
前記第１遮蔽壁に連結された一端と、
前記シャシーの第１及び第２内側面を相互連結し、前記シャシーの幅方向の第３内側面に連結された他端と、
前記印刷回路基板と接する接続部のうち前記スイッチング部と前記第１入力コネクタを連結する第１連結パターンが通る領域に前記第１連結パターンを通過させるために形成された凹状のパターン通過溝と、
を含むことを特徴とする請求項１１に記載のシングルパッケージテレビジョンチューニング装置。
【請求項１６】
前記第３遮蔽壁は、
前記第１遮蔽壁に連結された一端と、
前記第３内側面に連結された他端と、
前記印刷回路基板と接する接続部のうち前記スイッチング部と前記第２入力コネクタを連結する第２連結パターンが通る領域に前記第２連結パターンを通過させるために形成された凹状のパターン通過溝と、
を含むことを特徴とする請求項１１に記載のシングルパッケージテレビジョンチューニング装置。
【請求項１７】
前記シャシーは、
前記印刷回路基板の側面を保護するために、前記印刷回路基板と結合され、前記印刷回路基板の側面をカバーする胴体シャシーと、
前記印刷回路基板の一面を保護するために、前記胴体シャシーと結合され前記印刷回路基板の一面側の開放部をカバーする第１カバーシャシーと、
前記印刷回路基板の一面の反対側面を保護するために、前記胴体シャシーと結合され前記印刷回路基板の他面側の開放部をカバーする第２カバーシャシーと、
を含むことを特徴とする請求項１１に記載のシングルパッケージテレビジョンチューニング装置。
【請求項１８】
前記スイッチング部は前記印刷回路基板の一面に形成され、
前記チューナ部は、前記印刷回路基板の一面に前記スイッチング部と共に形成されたことを特徴とする請求項１４に記載のシングルパッケージテレビジョンチューニング装置。
【請求項１９】
前記第１カバーシャシーは、
その一部が前記遮蔽壁に向かって膨らんで形成された複数のタッチポインタを含み、
前記第１カバーシャシーを前記胴体シャシーに締結する時、前記タッチポインタは前記遮蔽壁に接触されることを特徴とする請求項１７に記載のシングルパッケージテレビジョンチューニング装置。
【請求項２０】
前記スイッチング部は前記印刷回路基板の一面に形成され、
前記チューナ部は前記印刷回路基板の他面に形成されたことを特徴とする請求項１４に記載のシングルパッケージテレビジョンチューニング装置。
【請求項２１】
前記第１カバーシャシーは、
その一部が前記遮蔽壁に向かって膨らんで形成された複数のタッチポインタを含み、
前記第１カバーシャシーを前記胴体シャシーに締結する時、前記タッチポインタは前記遮蔽壁に接触されることを特徴とする請求項２０に記載のシングルパッケージテレビジョンチューニング装置。
【請求項２２】
前記シングルパッケージテレビジョンチューニング装置は、
前記チューナ部からの信号を復調する復調部をさらに含むことを特徴とする請求項１１に記載のシングルパッケージテレビジョンチューニング装置。
【請求項２３】
前記復調部は、
前記第１ＲＦ信号を復調するアナログ復調部と、
前記第２ＲＦ信号を復調するデジタル復調部とを含み、
前記第１ＲＦ信号はアナログ放送用ＲＦ信号で、前記第２ＲＦ信号はデジタル放送用ＲＦ信号であることを特徴とする請求項２２に記載のシングルパッケージテレビジョンチューニング装置。
【請求項２４】
動作電源を供給する電源部と、
チャネル選択信号と入力選択信号を含む制御データを提供する制御部と、
一つのシャシーからなり、前記電源部からの動作電源の供給を受け、前記制御部からの制御データに含まれた入力選択信号に従って第１ＲＦ信号と第２ＲＦ信号のうち何れか一つを選択してダウンコンバージョンするテレビジョンチューニング装置とを含み、
前記テレビジョンチューニング装置は、印刷回路基板と、前記印刷回路基板に装着され、第１ＲＦ信号と第２ＲＦ信号を選択するスイッチング部と、前記印刷回路基板に装着され、前記スイッチング部により選択された前記第１ＲＦ信号または前記第２ＲＦ信号をダウンコンバージョンするチューナ部と、前記第１及び第２ＲＦ信号の入力を受けるための第１及び第２入力コネクタと、前記第１及び第２入力コネクタを支持し、前記印刷回路基板、前記スイッチング部と、チューナ部を全て覆い、前記スイッチング部及びチューナ部の接地と電気的に連結されたシャシーと、
前記シャシーに連結され前記スイッチング部を前記印刷回路基板に連結された他の構成要素のうち少なくとも一つの構成要素との信号干渉から遮蔽させる遮蔽壁を含み、
前記遮蔽壁は、前記スイッチング部の接地部と連結され、
前記遮蔽壁は、
前記スイッチング部と前記チューナ部を隔離させる第１遮蔽壁と、
前記スイッチング部と前記第１入力コネクタを隔離させる第２遮蔽壁と、
前記スイッチング部と前記第２入力コネクタを隔離させる第３遮蔽壁と、
を含むことを特徴とするテレビジョン受信機。
【請求項２５】
前記テレビジョン受信機は、
前記第１ＲＦ信号または第２ＲＦ信号を選択するための選択信号の入力を受けるためのピンコネクタをさらに含むことを特徴とする請求項２４に記載のテレビジョン受信機。
【請求項２６】
前記ピンコネクタは、
チューニング動作電源の入力を受けて前記チューニング部へ提供する電源ピンと、
チャネル選択信号と、前記第１ＲＦ信号または第２ＲＦ信号を選択するための選択信号を含む制御データの入力を受けて前記チューナ部へ提供する制御データピンと、
前記チューニング部からの信号を出力する信号出力ピンと、
を含むことを特徴とする請求項２５に記載のテレビジョン受信機。
【請求項２７】
前記チューナ部は、
前記制御データピンを通じて提供された制御データに含まれたチャネル選択信号及び入力選択信号を分析し、前記チャネル選択信号に従ってチャネル調整信号を出力し、前記入力選択信号に従って前記スイッチング部にスイッチング信号を提供するデータ処理部と、
前記データ処理部からのチャネル調整信号に従って前記スイッチング部からのＲＥ信号をダウンコンバージョンするコンバーティング部と、
を含むことを特徴とする請求項２６に記載のテレビジョン受信機。
【請求項２８】
前記第１遮蔽壁は、
前記シャシーの長さ方向の第１内側面に連結される一端と、
前記シャシーの第１内側面の反対側に位置され、前記第１内側面と同一方向の第２内側面に連結される他端と、
前記印刷回路基板と接する接続部のうち前記スイッチング部と前記チューナ部を連結する中間連結パターンが通る領域に前記中間連結パターンを通過させるために形成された凹状のパターン通過溝と、
を含むことを特徴とする請求項２４に記載のテレビジョン受信機。
【請求項２９】
前記第２遮蔽壁は、
前記第１遮蔽壁に連結された一端と、
前記シャシーの第１及び第２内側面を相互連結し、前記シャシーの幅方向の第３内側面に連結された他端と、
前記印刷回路基板と接する接続部のうち前記スイッチング部と前記第１入力コネクタを連結する第１連結パターンが通る領域に前記第１連結パターンを通過させるために形成された凹状のパターン通過溝と、
を含むことを特徴とする請求項２４に記載のテレビジョン受信機。
【請求項３０】
前記第３遮蔽壁は、
前記第１遮蔽壁に連結された一端と、
前記第３内側面に連結された他端と、
前記印刷回路基板と接する接続部のうち前記スイッチング部と前記第２入力コネクタを連結する第２連結パターンが通る領域に前記第２連結パターンを通過させるために形成された凹状のパターン通過溝と、
を含むことを特徴とする請求項２４に記載のテレビジョン受信機。
【請求項３１】
前記シャシーは、
前記印刷回路基板の側面を保護するために、前記印刷回路基板と結合され、前記印刷回路基板の側面をカバーする胴体シャシーと、
前記印刷回路基板の一面を保護するために、前記胴体シャシーと結合され前記印刷回路基板の一面側の開放部をカバーする第１カバーシャシーと、
前記印刷回路基板の一面の反対側の他面を保護するために、前記胴体シャシーと結合され前記印刷回路基板の他面側の開放部をカバーする第２カバーシャシーと、
を含むことを特徴とする請求項２４に記載のテレビジョン受信機。
【請求項３２】
前記スイッチング部は前記印刷回路基板の一面に形成され、
前記チューナ部は、前記印刷回路基板の一面に前記スイッチング部と共に形成されたことを特徴とする請求項２８に記載のテレビジョン受信機。
【請求項３３】
前記第１カバーシャシーは、
その一部が前記遮蔽壁に向かって膨らんで形成された複数のタッチポインタを含み、
前記第１カバーシャシーを前記胴体シャシーに締結する時、前記タッチポインタは前記遮蔽壁に接触されることを特徴とする請求項３１に記載のテレビジョン受信機。
【請求項３４】
前記スイッチング部は前記印刷回路基板の一面に形成され、
前記チューナ部は前記印刷回路基板の他面に形成されたことを特徴とする請求項２８に記載のテレビジョン受信機。
【請求項３５】
前記第１カバーシャシーは、
その一部が前記遮蔽壁に向かって膨らんで形成された複数のタッチポインタを含み、
前記第１カバーシャシーを前記胴体シャシーに締結する時、前記タッチポインタは前記遮蔽壁に接触されることを特徴とする請求項３４に記載のテレビジョン受信機。
【発明の詳細な説明】
【技術分野】
【０００１】
本発明は、ＴＶセット−トップボックス（Ｓｅｔ−Ｔｏｐ  Ｂｏｘ）などのテレビジョン受信機に適用されるテレビジョンチューニング装置に関するものであって、特に、マルチ入力を選択するスイッチング部とチューナを一つのシャシーに一体化させ、上記スイッチング部とその他の構成要素（ｅｌｅｍｅｎｔｓ）の間を相互遮蔽させることにより、スイッチング部とその他の構成要素の間の信号干渉を防ぐことができ、小型化及びコスト低減を達成できるシングルパッケージテレビジョンチューニング装置及びテレビジョン受信機に関する。
【背景技術】
【０００２】
最近、デジタル放送が始まり、従来のアナログ放送とデジタル放送を選択的に受信するテレビジョン受信機の研究及び開発がされており、また、衛星放送を始めてから、従来の地上波放送と衛星放送を選択的に受信するテレビジョン受信機も研究及び開発されつつある。
【０００３】
一方、ＴＶセット−トップボックスなどに適用されるテレビジョン受信機が、アナログ放送信号とデジタル放送信号の入力を受ける場合、アナログ放送信号またはデジタル放送信号を選択的に受信処理するよう製作されるべきである。
【０００４】
図１０は、従来の技術によるテレビジョンチューニング装置の構成図である。図１０に図示された従来の技術によるテレビジョンチューニング装置１０は、スイッチングボックス１１とチューナ１２を含む。そして、上記スイッチングボックス１１とチューナ１２はそれぞれ別途のシャシーで製作され、以後に別途のケーブルＣＡを通じて連結されてこそ相互の信号を送受信することが可能となる。
【０００５】
上記スイッチングボックス１１は、スイッチング信号Ｓｓｗに従って、第１入力端ＡＮＴ１を通じたアナログ放送信号または第２入力端ＡＮＴ２を通じたデジタル放送信号のうち一つの信号を選択して出力端ＯＵＴ１を通じて上記チューナ１２へ伝達する。
【０００６】
上記チューナ１２は、入力端ＩＮを通じて上記スイッチングボックス１１により選択された信号、即ちアナログ放送信号またはデジタル放送信号のうち選択チャネルに該当するＲＦ信号をＩＦ信号にコンバージョンして出力端ＯＵＴ２を通じて出力する。
【０００７】
前述のように、上記スイッチングボックス１１及びチューナ１２は、相互独立したシャシーで製作された後、上記スイッチングボックス１１とチューナ１２は別途のケーブルＣＡを通じて連結されるべきである。
【０００８】
ところが、このような従来の技術によるテレビジョンチューニング装置において、上記スイッチングボックス１１とチューナ１２は、別途のケーブルを通じて相互連結されるため、上記ケーブルを通じて信号の損失が発生して放送信号の品質を落とすという問題点がある。
【０００９】
また、上記スイッチングボックス１１とチューナ１２がそれぞれ独立したシャシーから成るため、コストが高いという問題点があり、上記別途のシャシーから成る上記スイッチングボックス１１とチューナ１２をＴＶセット−トップボックスなどのテレビジョン装置に装着する場合、相対的に占める面積及び体積が大きいため、テレビジョン装置の小型化が困難であるという問題点がある。
【発明の開示】
【発明が解決しようとする課題】
【００１０】
本発明は、上記の問題点を解決するため提案されたものであって、その目的は、マルチ入力を選択するスイッチング部とチューナを一つのシャシーに一体化させ、上記スイッチング部をその他の構成要素から遮蔽させることにより、スイッチング部とその他の構成要素の間の信号干渉を防ぐことができ、小型化及びコストの低減を達成できるシングルパッケージテレビジョンチューニング装置及びテレビジョン受信機を提供することにある。
【課題を解決するための手段】
【００１１】
上記の本発明の目的を達成すべく、本発明の一実施例によるシングルパッケージテレビジョンチューニング装置は、印刷回路基板と、上記印刷回路基板に装着され、入力される第１ＲＦ信号と第２ＲＦ信号のうち一つのＲＦ信号を選択するスイッチング部と、上記印刷回路基板に装着され、上記スイッチング部から上記第１ＲＦ信号と第２ＲＦ信号のうち一つのＲＦ信号をダウンコンバージョンするチューナ部と、上記第１及び第２ＲＦ信号の入力を受けるための第１及び第２入力コネクタと、上記第１及び第２入力コネクタを支持し、上記印刷回路基板、上記スイッチング部及びチューナ部を全て覆い、上記スイッチング部及びチューナ部の接地と電気的に連結されたシャシーを備えることを特徴とする。
【００１２】
また、上記シングルパッケージテレビジョンチューニング装置は、上記シャシーに連結され上記スイッチング部を上記印刷回路基板に連結された他の構成要素のうち少なくとも一つの構成要素との信号干渉から遮蔽させる遮蔽壁をさらに含むことを特徴とする。
【００１３】
上記シャシーは、上記印刷回路基板の側面を保護するために、上記印刷回路基板と結合され、上記印刷回路基板の側面をカバーする胴体シャシーと、上記印刷回路基板の一面を保護するために、上記印刷回路基板の一面側の開放部をカバーする第１カバーシャシーと、上記印刷回路基板の一面の反対側面を保護するために、上記印刷回路基板の他面側の開放部をカバーする第２カバーシャシーとを含むことを特徴とする。
【００１４】
また、上記スイッチング部は上記印刷回路基板の一面に形成され、上記チューナ部は、上記印刷回路基板の一面に上記スイッチング部と共に形成されたことを特徴とする。または上記スイッチング部は上記印刷回路基板の一面に形成され、上記チューナ部は上記印刷回路基板の他面に形成されたことを特徴とする。上記シングルパッケージテレビジョンチューニング装置は、スイッチング信号の入力を受けて上記スイッチング部へ提供するスイッチング端子をさらに含むことを特徴とする。
【００１５】
また、本発明の一実施例によるシングルパッケージテレビジョンチューニング装置は、印刷回路基板と、上記印刷回路基板に装着され、入力される第１ＲＦ信号と第２ＲＦ信号のうち一つのＲＦ信号を選択するスイッチング部と、上記印刷回路基板に装着され、上記スイッチング部により選択された上記第１ＲＦ信号または上記第２ＲＦ信号をダウンコンバージョンするチューナ部と、上記第１及び第２ＲＦ信号の入力を受けるための第１及び第２入力コネクタと、上記第１及び第２入力コネクタを支持し、上記印刷回路基板、上記スイッチング部及びチューナ部を全て覆い、上記スイッチング部及びチューナ部の接地と電気的に連結されたシャシーと、上記シャシーに連結され上記スイッチング部を上記印刷回路基板に連結された他の構成要素のうち少なくとも一つの構成要素との信号干渉から遮蔽させる遮蔽壁と、上記第１ＲＦ信号または第２ＲＦ信号を選択するための選択信号の入力を受けるためのピンコネクタとを含むことを特徴とする。
【００１６】
上記ピンコネクタは、チューニング動作電源の入力を受けて上記チューニング部へ提供する電源ピンと、チャネル選択信号と、上記第１ＲＦ信号または第２ＲＦ信号を選択するための選択信号を含む制御データの入力を受けて上記チューナ部へ提供する制御データピンと、上記チューニング部からの信号を出力する信号出力ピンとを含むことを特徴とする。
【００１７】
上記チューナ部は、上記制御データピンを通じて提供された制御データに含まれたチャネル選択信号及び入力選択信号を分析し、上記チャネル選択信号に従ってチャネル調整信号を出力し、上記入力選択信号に従って上記スイッチング部にスイッチング信号を提供するデータ処理部と、上記データ処理部からのチャネル調整信号に従って上記スイッチング部からのＲＥ信号をダウンコンバージョンするコンバーティング部とを含むことを特徴とする。
【００１８】
上記シングルパッケージテレビジョンチューニング装置は、上記チューナ部からの信号を復調する復調部をさらに含むことを特徴とする。上記復調部は、上記第１ＲＦ信号を復調するアナログ復調部と、上記第２ＲＦ信号を復調するデジタル復調部とを含み、上記第１ＲＦ信号はアナログ放送用ＲＦ信号で、上記第２ＲＦ信号はデジタル放送用ＲＦ信号であることを特徴とする。
【００１９】
また、本発明の一実施例によるテレビジョン受信機は、動作電源を供給する電源部と、チャネル選択信号と入力選択信号を含む制御データを提供する制御部と、一つのシャシーからなり、上記電源部からの動作電源の供給を受け、上記制御部からの制御データに含まれた入力選択信号に従って第１ＲＦ信号と第２ＲＦ信号のうち何れか一つを選択してダウンコンバージョンするテレビジョンチューニング装置とを含み、上記テレビジョンチューニング装置は、印刷回路基板と、上記印刷回路基板に装着され、第１ＲＦ信号と第２ＲＦ信号を選択するスイッチング部と、上記印刷回路基板に装着され、上記スイッチング部により選択された上記第１ＲＦ信号または上記第２ＲＦ信号をダウンコンバージョンするチューナ部と、上記第１及び第２ＲＦ信号の入力を受けるための第１及び第２入力コネクタと、上記第１及び第２入力コネクタを支持し、上記印刷回路基板、上記スイッチング部及びチューナ部を全て覆い、上記スイッチング部及びチューナ部の接地と電気的に連結されたシャシーとを含んで成ることを特徴とする。
【発明の効果】
【００２０】
本発明によると、ＴＶセット−トップボックス（Ｓｅｔ−Ｔｏｐ  Ｂｏｘ）などのテレビジョン受信機に適用されるテレビジョンチューニング装置において、マルチ入力を選択するスイッチング部とチューナを一つのシャシーに一体化させ、上記スイッチング部とその他の構成要素（ｅｌｅｍｅｎｔｓ）の間を相互遮蔽させることにより、スイッチング部とその他の構成要素の間の信号干渉を防ぐことができ、小型化及びコストの低減を達成できる効果がある。
【発明を実施するための最良の形態】
【００２１】
以下、本発明の実施例を添付の図面を参照に詳しく説明する。本発明は、説明する実施例に限られず、本発明の実施例は本発明の技術的思想の理解に役立てるために用いられる。本発明に参照した図面において、実質的に同一構成と機能を有する構成要素は同一符号を使用する。
【００２２】
図１は、本発明によるテレビジョンチューニング装置の一実施例を表した内部平面図である。図１を参照すると、本発明によるテレビジョンチューニング装置３０００は、印刷回路基板１００と、上記印刷回路基板１００に装着され、入力される第１ＲＦ信号ＲＦ１と第２ＲＦ信号ＲＦ２のうち一つのＲＦ信号を選択するスイッチング部２００と、上記印刷回路基板１００に装着され、上記スイッチング部２００により選択された上記第１ＲＦ信号ＲＦ１または上記第２ＲＦ信号ＲＦ２をダウンコンバージョンするチューナ部３００と、上記第１及び第２ＲＦ信号ＲＦ１，ＲＦ２の入力を受けるための第１及び第２入力コネクタＡＮＴ１，ＡＮＴ２と、上記第１及び第２入力コネクタＡＮＴ１，ＡＮＴ２を支持し、上記印刷回路基板１００、上記スイッチング部２００及びチューナ部３００を全て覆い、上記スイッチング部２００及びチューナ部３００の接地と電気的に連結されたシャシー４００とを含む。
【００２３】
また、上記テレビジョンチューニング装置は、上記シャシー４００に連結され、上記スイッチング部２００を上記印刷回路基板１００に連結された他の構成要素のうち少なくとも一つの構成要素との信号干渉から遮蔽させる遮蔽壁５００を含むことが出来る。
【００２４】
そして、上記シングルパッケージテレビジョンチューニング装置は、スイッチング信号の入力を受けて上記スイッチング部２００へ提供するスイッチング端子を含むことができ、このようなスイッチング端子は下記に説明するピンコネクタＰＣＯＮから成ることが出来る。
【００２５】
図１を参照すると、上記ピンコネクタＰＣＯＮは、上記第１ＲＦ信号ＲＦ１または第２ＲＦ信号ＲＦ２を選択するための選択信号の入力を受けるためのピンタイプのコネクタであって、これはチューニング動作電源の入力を受けて上記チューニング部３００へ提供する電源ピンＰ１と、チャネル選択信号と、上記第１ＲＦ信号ＲＦ１または第２ＲＦ信号ＲＦ２を選択するための選択信号を含む制御データの入力を受けて上記チューナ部３００へ提供する制御データピンＰ２と、上記チューニング部３００からの信号を出力する信号出力ピンＰ３とを含む。
【００２６】
例えば、上記制御データピンＰ２はクラック信号（クロック信号）を入力するためのクラック信号ピンと上記制御データを入力するためのデータピンから成ることが出来る。
【００２７】
図２は本発明による遮蔽壁の詳細構造説明図で、図３は本発明による遮蔽壁のパターン通過溝を表した部分斜視図である。
【００２８】
図１、図２及び図３を参照すると、上記遮蔽壁５００は、上記印刷回路基板１００に形成された連結パターンＰＴ１１，ＰＴ１２を通じて上記スイッチング部２００の接地部Ｇ１，Ｇ２と連結されることが出来る。
【００２９】
図１、図２及び図３において、上記遮蔽壁５００は、上記スイッチング部２００と上記チューナ部３００を隔離させる第１遮蔽壁５１０と、上記スイッチング部２００と上記第１入力コネクタＡＮＴ１を隔離させる第２遮蔽壁５２０と、上記スイッチング部２００と上記第２入力コネクタＡＮＴ２を隔離させる第３遮蔽壁５３０とを含む。
【００３０】
図１及び図２において、ＰＴ１は上記スイッチング部２００と第１入力コネクタＡＮＴ１を連結する第１連結パターンで、ＰＴ２は上記スイッチング部２００と第２入力コネクタＡＮＴ２を連結する第２連結パターンで、ＰＴ３は上記スイッチング部２００と上記チューナ部３００を連結する中間連結パターンである。
【００３１】
図２及び図３を参照すると、上記第１遮蔽壁５１０は、上記シャシー４００の長さ方向（長手方向）の第１内側面に連結される一端５１１と、上記シャシー４００の第１内側面の反対側に位置され、上記第１内側面と同一方向の第２内側面に連結される他端５１２と、上記印刷回路基板１００と接する接続部のうち上記スイッチング部２００と上記チューナ部３００を連結する中間連結パターンＰＴ３が通る領域に上記中間連結パターンＰＴ３を通過するために形成された凹状のパターン通過溝５１３とを含む。
【００３２】
この際、図３を参照すると、上記パターン通過溝５１３は上記中間連結パターンＰＴ３を電気的接触なしで通過させる通路を提供して、上記中間連結パターンＰＴ３と上記第１遮蔽壁５１０との電気的連結を防ぐことが出来る。
【００３３】
また、上記第２遮蔽壁５２０は、上記第１遮蔽壁５１０に連結された一端５２１と、上記シャシー４００の第１及び第２内側面を相互連結し、上記シャシー４００の幅方向の第３内側面に連結された他端５２２と、上記印刷回路基板１００と接する接続部のうち上記スイッチング部２００と上記第１入力コネクタＡＮＴ１を連結する第１連結パターンＰＴ１が通る領域に上記第１連結パターンＰＴ１を通過させるために形成された凹状のパターン通過溝５２３とを含む。
【００３４】
この際、図３を参照すると、上記パターン通過溝５２３は上記第１連結パターンＰＴ１を電気的接触なしで通過させる通路を提供して、上記第１連結パターンＰＴ１と上記第２遮蔽壁５２０との電気的連結を防ぐことが出来る。
【００３５】
そして、上記第３遮蔽壁５３０は、上記第１遮蔽壁５１０に連結された一端５３１と、上記第３内側面に連結された他端５３２と、上記印刷回路基板１００と接する接続部のうち上記スイッチング部２００と上記第２入力コネクタＡＮＴ２を連結する第２連結パターンＰＴ２が通る領域に上記第２連結パターンＰＴ２を通過させるために形成された凹状のパターン通過溝５３３とを含む。
【００３６】
この際、図３を参照すると、上記パターン通過溝５３３は、上記第２連結パターンＰＴ２を電気的接触なしで通過させる通路を提供して、上記第２連結パターンＰＴ２と上記第３遮蔽壁５３０との電気的連結を防ぐことが出来る。
【００３７】
図４は、本発明によるチューナ部の構成図である。図４を参照すると、上記チューナ部３００は、上記制御データピンＰ２を通じて提供された制御データに含まれたチャネル選択信号及び入力選択信号を分析し、上記チャネル選択信号に従ってチャネル調整信号を出力し、上記入力選択信号に従って上記スイッチング部２００にスイッチング信号を提供するデータ処理部３１０と、上記データ処理部３１０からのチャネル調整信号に従って上記スイッチング部２００からのＲＥ信号ＲＦをダウンコンバージョンするコンバーティング部３２０とを含む。
【００３８】
図１乃至図４において、ＲＦ１は第１ＲＦ信号で、ＲＦ２は第２ＲＦ信号である。図１及び図４を参照すると、上記制御データピンＰ２は、例えば、クラック信号（クロック信号）を入力するためのクラック信号ピンＣＬと上記制御データを入力するためのデータピンＤＡから成ることが出来る。
【００３９】
この際、上記データ処理部３１０は別途の連結パターンＰＴ４を通じて上記スイッチング部２００と連結され、上記連結パターンＰＴ４を通過させるために、上記第１遮蔽壁５１０は、上記印刷回路基板１００と接する接続部のうち上記スイッチング部２００と上記チューナ部３００を連結する上記連結パターンＰＴ４が通る領域に上記連結パターンＰＴ４を通過させるために形成された凹状のパターン通過溝５１４をさらに含むことが出来る。
【００４０】
図５は本発明によるテレビジョンチューニング装置の外形図で、図６は図５に図示されたテレビジョンチューニング装置の第１装着例を表したＡ−Ａ’線の断面図で、図７は図５に図示されたテレビジョンチューニング装置の第２装着例を表したＡ−Ａ’線の断面図である。
【００４１】
図５乃至図７を参照すると、上記シャシー４００は、上記印刷回路基板１００の側面を保護するために、上記印刷回路基板１００と結合され、上記印刷回路基板１００の側面をカバーする胴体シャシー４１０と、上記印刷回路基板１００の一面を保護するために、上記胴体シャシー４１０と結合され上記印刷回路基板１００の一面側の開放部をカバーする第１カバーシャシー４２０と、上記印刷回路基板１００の一面の反対側面を保護するために、上記胴体シャシー４１０と結合され上記印刷回路基板１００の他面側の開放部をカバーする第２カバーシャシー４３０とを含む。
【００４２】
上記胴体シャシー４１０は、通常四角形の印刷回路基板１００の角部分と結合され、このような結合に係る一例を説明すると、上記胴体シャシー４１０が四角形のフレーム構造からなり、上記フレーム構造に下方に結合突起が複数個形成され、上記印刷回路基板１００の角部分に形成された結合溝に上記胴体シャシー４１０の突起が挿入されて結合される。このように上記印刷回路基板と胴体シャシー（いわゆる、側面シャシー）が結合される通常の締結手段が採択されることが出来る。
【００４３】
図６を参照すると、上記スイッチング部２００は、上記印刷回路基板１００の一面に形成され、上記チューナ部３００は、上記印刷回路基板１００の一面に上記スイッチング部２００と共に形成されることが出来る。この場合、上記印刷回路基板１００は断面基板から成ることが出来る。
【００４４】
図７を参照すると、上記スイッチング部２００は上記印刷回路基板１００の一面に形成され、上記チューナ部３００は上記印刷回路基板１００の他面に形成されることができ、この場合、上記印刷回路基板１００は両面基板から成ることが出来る。
【００４５】
また、図５、図６及び図７において、上記印刷回路基板１００はマルチ基板から成ることが出来る。図５、図６及び図７を参照すると、上記第１カバーシャシー４２０の一部が上記遮蔽壁５００に向かって膨らんで形成された複数のタッチポインタ４２１を含み、上記第１カバーシャシー４２０を上記胴体シャシー４１０に締結する時、上記タッチポインタ４２１は上記遮蔽壁５００に接触するよう形成されることが出来る。
【００４６】
図８は、本発明によるテレビジョンチューニング装置の構成図である。図８を参照すると、上記シングルパッケージテレビジョンチューニング装置３０００は、上記チューナ部３００からの信号を復調する復調部６００を含むことが出来る。
【００４７】
この際、上記復調部６００は、上記第１ＲＦ信号ＲＦ１を復調するアナログ復調部６１０と、上記第２ＲＦ信号ＲＦ２を復調するデジタル復調部６２０とを含む。ここで、上記第１ＲＦ信号ＲＦ１はアナログ放送用ＲＦ信号で、上記第２ＲＦ信号ＲＦ２はデジタル放送用ＲＦ信号に該当することが出来る。
【００４８】
前述のような本発明のテレビジョンチューニング装置３０００は、テレビジョン受信機に適用されることができ、この場合に関しては図９を参照に説明する。
【００４９】
図９は、本発明によるテレビジョン受信機の一実施例を表したブロック図である。図９を参照すると、本発明によるテレビジョン受信機は、動作電源を供給する電源部１０００と、チャネル選択信号と入力選択信号を含む制御データを提供する制御部２０００と、一つのシャシーからなり、上記電源部１０００からの動作電源が供給され、上記制御部２０００からの制御データに含まれた入力選択信号に従って第１ＲＦ信号ＲＦ１と第２ＲＦ信号ＲＦ２のうち何れか一つを選択してダウンコンバージョンするテレビジョンチューニング装置３０００とを含む。
【００５０】
上記テレビジョンチューニング装置３０００は、前述と同様に構成されるので、その詳しい構成に関する説明は省略する。
【００５１】
以下、本発明の作用及び効果を添付の図面により詳しく説明する。図１乃至図８を参照して、本発明によるテレビジョンチューニング装置に関して説明すると、先ず、図１に図示されたテレビジョンチューニング装置において、印刷回路基板１００に装着されたスイッチング部２００は、スイッチング信号に従って入力される第１ＲＦ信号ＲＦ１と第２ＲＦ信号ＲＦ２のうち一つのＲＦ信号を選択してチューナ部３００へ出力する。
【００５２】
ここで、上記第１ＲＦ信号ＲＦ１は、上記シャシー４００により支持される第１入力コネクタＡＮＴ１を通じて入力され、上記第２ＲＦ信号ＲＦ２は、上記シャシー４００により支持される第２入力コネクタＡＮＴ２を通じて入力される。
【００５３】
次いで、上記チューナ部３００は、上記スイッチング部２００からのＲＦ信号をＩＦ信号にダウンコンバージョンして出力する。
【００５４】
この際、上記シャシー４００は、上記印刷回路基板１００、上記スイッチング部２００及びチューナ部３００を覆うので、上記印刷回路基板１００、上記スイッチング部２００及びチューナ部３００を外部の衝撃から保護することができ、また上記スイッチング部２００及びチューナ部３００の接地と電気的に連結され、チューニング装置の内部及び外部の間の不要な信号の流入を遮蔽することが出来る。
【００５５】
さらに、上記シャシー４００に連結された遮蔽壁５００は、上記スイッチング部２００を、上記印刷回路基板１００に連結された他の構成要素のうち少なくとも一つの構成要素との信号干渉から遮蔽させ、上記スイッチング部２００と上記印刷回路基板１００に連結された他の構成部品との遮蔽機能を行う。
【００５６】
一方、上記シングルパッケージテレビジョンチューニング装置は、スイッチング端子を通じてスイッチング信号が入力され上記スイッチング部２００へ提供することが出来る。この際、上記スイッチング部２００は、上記スイッチング信号に従って上記第１ＲＦ信号ＲＦ１と第２ＲＦ信号ＲＦ２のうち一つのＲＦ信号を選択することが出来る。
【００５７】
このようなスイッチング端子は、下記に説明するピンコネクタＰＣＯＮから成ることが出来る。例えば、上記ピンコネクタＰＣＯＮが電源ピンＰ１と制御データピンＰ２及び信号出力ピンＰ３を含む場合、上記テレビジョンチューニング装置３０００は、上記ピンコネクタＰＣＯＮの電源ピンＰ１を通じて上記チューナ部３００の動作電源が供給され、上記ピンコネクタＰＣＯＮの制御データピンＰ２を通じてチャネル選択信号と上記第１ＲＦ信号ＲＦ１または第２ＲＦ信号ＲＦ２を選択するための選択信号を含む制御データが入力される。この際、上記制御データは上記チューナ部３００へ提供される。
【００５８】
そして、上記テレビジョンチューニング装置３０００は、上記ピンコネクタＰＣＯＮの信号出力ピンＰ３を通じて上記チューニング部３００からの信号を出力する。
【００５９】
図１乃至図３を参照すると、上記遮蔽壁５００は、上記印刷回路基板１００に形成された連結パターンＰＴ１１，ＰＴ１２を通じて上記スイッチング部２００の接地部Ｇ１，Ｇ２と連結され、これにより上記遮蔽壁５００が信号の吸収能力が向上され、干渉を起こす信号を接地部にさらに強力にバイパスさせることが出来るため、上記遮蔽機能をさらに向上させることが出来る。
【００６０】
具体的に説明すると、上記遮蔽壁５００は、上記スイッチング部２００と上記チューナ部３００を隔離させる第１遮蔽壁５１０と、上記スイッチング部２００と上記第１入力コネクタＡＮＴ１を隔離させる第２遮蔽壁５２０と、上記スイッチング部２００と上記第２入力コネクタＡＮＴ２を隔離させる第３遮蔽壁５３０とを含む場合、上記第１遮蔽壁５１０は、上記スイッチング部２００と上記チューナ部３００との遮蔽を行い、上記第２遮蔽壁５２０は上記スイッチング部２００と上記第１入力コネクタＡＮＴ１との遮蔽を行い、上記第３遮蔽壁５３０は、上記スイッチング部２００と上記第２入力コネクタＡＮＴ２との遮蔽を行う。
【００６１】
一方、図４に図示したように、上記チューナ部３００がデータ処理部３１０とコンバーティング部３２０を含む場合、上記データ処理部３１０は上記制御データピンＰ２を通じて提供された制御データに含まれたチャネル選択信号及び入力選択信号を分析し、上記チャネル選択信号に従ってチャネル調整信号を出力し、上記入力選択信号に従って上記スイッチング部２００にスイッチング信号を提供する。そして、上記コンバーティング部３２０は上記データ処理部３１０からのチャネル調整信号に従って上記スイッチング部２００からのＲＥ信号をダウンコンバージョンする。
【００６２】
図８を参照すると、上記第１ＲＦ信号ＲＦ１はアナログ放送用ＲＦ信号で、上記第２ＲＦ信号ＲＦ２はデジタル放送用ＲＦ信号に該当することができ、これに関して上記シングルパッケージテレビジョンチューニング装置は、アナログ復調部６１０とデジタル復調部６２０を有する復調部６００を含む場合、上記復調部６００の上記アナログ復調部６１０は、アナログ放送用ＲＦ信号である第１ＲＦ信号ＲＦ１を復調し、上記デジタル復調部６２０はデジタル放送用ＲＦ信号である第２ＲＦ信号ＲＦ２を復調することが出来る。
【００６３】
前述のような本発明のテレビジョンチューニング装置３０００は、テレビジョン受信機に適用されることができ、この場合に関しては図９を参照して説明する。
【００６４】
図９を参照すると、本発明によるテレビジョン受信機において、電源部１０００は、上記テレビジョンチューニング装置にピンコネクタＰＣＯＮを通じて動作電源を供給することが出来る。次に、制御部２０００は上記テレビジョンチューニング装置にチャネル選択信号と入力選択信号を含む制御データを上記テレビジョンチューニング装置３０００に提供することが出来る。
【００６５】
これにより、上記テレビジョンチューニング装置３０００は、上記電源部１０００からの動作電源の供給を受け、上記制御部２０００からの制御データに含まれた入力選択信号に従って第１ＲＦ信号ＲＦ１と第２ＲＦ信号ＲＦ２のうち何れか一つを選択してダウンコンバージョンすることが出来る。
【００６６】
以上に説明した本発明は、前述の実施例及び添付の図面により限定されず、特許請求範囲により限定される。本発明の装置は本発明の技術的思想を外れない範囲内で様々な置換、変形及び変更が可能ということは、本発明が属する技術分野において通常の知識を有している者において自明である。
【図面の簡単な説明】
【００６７】
【図１】本発明によるテレビジョンチューニング装置の一実施例を表した内部平面図である。
【図２】本発明による遮蔽壁の詳細の構造説明図である。
【図３】本発明による遮蔽壁のパターン通過溝を表した部分斜視図である。
【図４】本発明によるチューナ部の構成図である。
【図５】本発明によるテレビジョンチューニング装置の外形図である。
【図６】図５に図示されたテレビジョンチューニング装置の第１装着例を表したＡ−Ａ’線の断面図である。
【図７】図５に図示されたテレビジョンチューニング装置の第２装着例を表したＡ−Ａ’線の断面図である。
【図８】本発明によるテレビジョンチューニング装置の構成図である。
【図９】本発明によるテレビジョン受信機の一実施例を表したブロック図である。
【図１０】従来の技術によるテレビジョンチューニング装置の構成図である。
【符号の説明】
【００６８】
１００  印刷回路基板
２００  スイッチング部
３００  チューナ部
３１０  データ処理部
３２０  コンバーティング部
４００  シャシー
４１０  胴体シャシー
４２０  第１カバーシャシー
４３０  第２カバーシャシー
５００  遮蔽壁
５１０  第１遮蔽壁
５２０  第２遮蔽壁
５３０  第３遮蔽壁
６００  復調部
６１０  アナログ復調部
６２０  デジタル復調部
１０００  電源部
２０００  制御部
３０００  テレビジョンチューニング装置
ＲＦ１  第１ＲＦ信号
ＲＦ２  第２ＲＦ信号
ＡＮＴ１，ＡＮＴ２  第１及び第２入力コネクタ
ＰＣＯＮ  ピンコネクタ
Ｐ１  電源ピン
Ｐ２  制御データピン
Ｐ３  信号出力ピン
【図１】
0004665091.tif 000002
【図２】
0004665091.tif 000003
【図３】
0004665091.tif 000004
【図４】
0004665091.tif 000005
【図５】
0004665091.tif 000006
【図６】
0004665091.tif 000007
【図７】
0004665091.tif 000008
【図８】
0004665091.tif 000009
【図９】
0004665091.tif 000010
【図１０】
0004665091.tif 000011